(57)【要約】【課題】携帯電子機器において、大画面表示を実現しつつ操作性を改善すること。【解決手段】携帯電子機器１は、筐体２の主面３側で画像を表示可能な第１画面３２ＤＡと主面３の背面４側で画像を表示可能で、かつ第１画面３２ＤＡよりも面積が大きい第２画面３２ＤＢと、第１画面３２ＤＡとともに主面３に配置される数字キー１２や方向及び決定キー１３とを有する。携帯電子機器１を制御する制御部は、筐体２の反転に応じて、第１画面３２ＤＡを用いた画像の表示と、第２画面３２ＤＢを用いた画像の表示とを切り替える。【選択図】図５
2011166630.tif 000002
【特許請求の範囲】
【請求項１】
筐体の所定面側で画像を表示可能な第１画面と、
前記所定面の背面側で画像を表示可能で、かつ前記第１画面よりも面積が大きい第２画面と、
当該第１画面とともに前記所定面に配置される物理キーと、
前記筐体の反転を検出する反転検出部と、
前記第１画面及び前記第２画面の表示を制御する制御部と、を含み、
当該制御部は、
前記反転検出部の検出結果に応じて、前記第１画面を用いた画像の表示と、前記第２画面を用いた画像の表示とを切り替えることを特徴とする携帯電子機器。
【請求項２】
前記制御部は、
前記第２画面には大画面表示が好ましい画像を表示させ、前記第１画面には前記物理キーの使用と関連付けられた画像を表示させる請求項１に記載の携帯電子機器。
【請求項３】
前記大画面表示が好ましい画像は、Ｗｅｂ閲覧画像と地図画像とカメラで撮像した画像との少なくとも一つを含み、前記物理キーの使用と関連付けられた画像はテキストボックスを含む画像である請求項２に記載の携帯電子機器。
【請求項４】
前記制御部は、
前記第２画面に表示されている画像のうち、検索用入力画像を前記第１画面に表示させる請求項２又は３に記載の携帯電子機器。
【請求項５】
前記第２画面を用いた表示中に前記反転検出部が前記筐体の反転を検出すると、
前記制御部は、第１画面にテキストボックスへの入力画像を表示させる請求項２から４のいずれか１項に記載の携帯電子機器。
【請求項６】
前記制御部は、
前記テキストボックスを含む領域を拡大表示させる請求項５に記載の携帯電子機器。
【請求項７】
前記第２画面を用いた表示中に前記反転検出部が前記筐体の反転を検出すると、
前記制御部は、前記第２画面に表示されている情報をメールに添付する請求項１から３のいずれか１項に記載の携帯電子機器。
【請求項８】
前記第２画面を用いた表示中に前記反転検出部が前記筐体の反転を検出すると、
前記制御部は、前記物理キーを使用可能とする請求項１から７のいずれか１項に記載の携帯電子機器。
【請求項９】
前記第２画面を用いた表示中に前記反転検出部が前記筐体の反転を検出すると、
前記制御部は、所定のアプリケーションを起動させるためのメニュー画像を前記第１画面に表示させる請求項１から８のいずれか１項に記載の携帯電子機器。
【請求項１０】
前記筐体は、前記背面にタッチパネルを有し、前記所定面にトラックボールと方向及び決定キーとタッチパッドと光式ポインティングデバイスとのうち少なくとも一つを有する請求項１から９のいずれか１項に記載の携帯電子機器。
【発明の詳細な説明】
【技術分野】
【０００１】
本発明は、筐体の両面で画像を表示可能な携帯電子機器に関する。
【背景技術】
【０００２】
近年においては、画面に大きな画像を表示できるようにするため、画面にタッチパネルを設けて操作部を極力排除した携帯電子機器が現れてきている。例えば、特許文献１には、タッチパネルに対する第１の操作に基づいて、表示部における操作画面の表示位置を変更する携帯情報端末が開示されている。
【先行技術文献】
【特許文献】
【０００３】
【特許文献１】特開２００９−２８４４６８号公報、段落［００１０］
【発明の概要】
【発明が解決しようとする課題】
【０００４】
タッチパネルは、数字キーや方向及び決定キー等の物理キーと比較して操作性が劣るため、タッチパネルを備えた携帯電子機器は、操作性を改善する余地がある。本発明は、携帯電子機器において、大画面表示を実現しつつ操作性を改善することを目的とする。
【課題を解決するための手段】
【０００５】
上述した課題を解決し、目的を達成するために、本発明に係る携帯電子機器は、筐体の所定面側で画像を表示可能な第１画面と、前記所定面の背面側で画像を表示可能で、かつ前記第１画面よりも面積が大きい第２画面と、当該第１画面とともに前記所定面に配置される物理キーと、前記筐体の反転を検出する反転検出部と、前記第１画面及び前記第２画面の表示を制御する制御部と、を含み、当該制御部は、前記反転検出部の検出結果に応じて、前記第１画面を用いた画像の表示と、前記第２画面を用いた画像の表示とを切り替えることを特徴とする。
【０００６】
本発明の望ましい態様として、前記制御部は、前記第２画面には大画面表示が好ましい画像を表示させ、前記第１画面には前記物理キーの使用と関連付けられた画像を表示させることが好ましい。
【０００７】
本発明の望ましい態様として、前記大画面表示が好ましい画像は、Ｗｅｂ閲覧画像と地図画像とカメラで撮像した画像との少なくとも一つを含み、前記物理キーの使用と関連付けられた画像はテキストボックスを含む画像であることが好ましい。
【０００８】
本発明の望ましい態様として、前記制御部は、前記第２画面に表示されている画像のうち、検索用入力画像を前記第１画面に表示させることが好ましい。
【０００９】
本発明の望ましい態様として、前記第２画面を用いた表示中に前記反転検出部が前記筐体の反転を検出すると、前記制御部は、第１画面にテキストボックスへの入力画像を表示させることが好ましい。
【００１０】
本発明の望ましい態様として、前記制御部は、前記テキストボックスを含む領域を拡大表示させることが好ましい。
【００１１】
本発明の望ましい態様として、前記第２画面を用いた表示中に前記反転検出部が前記筐体の反転を検出すると、前記制御部は、前記第２画面に表示されている情報をメールに添付することが好ましい。
【００１２】
本発明の望ましい態様として、前記第２画面を用いた表示中に前記反転検出部が前記筐体の反転を検出すると、前記制御部は、前記物理キーを使用可能とすることが好ましい。
【００１３】
本発明の望ましい態様として、前記第２画面を用いた表示中に前記反転検出部が前記筐体の反転を検出すると、前記制御部は、所定のアプリケーションを起動させるためのメニュー画像を前記第１画面に表示させることが好ましい。
【００１４】
本発明の望ましい態様として、前記筐体は、前記背面にタッチパネルを有し、前記所定面にトラックボールと方向及び決定キーとタッチパッドと光式ポインティングデバイスとのうち少なくとも一つを有することが好ましい。
【発明の効果】
【００１５】
本発明は、携帯電子機器において、大画面表示を実現しつつ操作性を改善できる。
【図面の簡単な説明】
【００１６】
【図１】図１は、本実施携帯に係る携帯電子機器の概略構成を示す正面図である。
【図２】図２は、図１に示す携帯電子機器の背面図である。
【図３】図３は、図１に示す携帯電子機器の側面図である。
【図４】図４は、図１に示す携帯電子機器の上面図である。
【図５】図５は、図１に示す携帯電子機器のＸ−Ｘ矢視図である
【図６】図６は、図１に示す携帯電子機器の機能の概略構成を示すブロック図である。
【図７】図７は、本実施形態に係る携帯電子機器を用いて、画像を表示する画面を切り替える第１の手法を示すフローチャートである。
【図８】図８は、本実施形態に係る携帯電子機器において、画像を表示する画面を切り替える第２の手法を示すフローチャートである。
【図９】図９は、本実施形態に係る携帯電子機器が備えるタッチパネルに手が触れている状態を示す模式図である。
【図１０】図１０は、本実施形態に係る携帯電子機器が備えるタッチパネルに手が触れている状態を示す模式図である。
【図１１】図１１は、本実施形態に係る携帯電子機器を用いて、画像を表示する画面を切り替える第３の手法を示すフローチャートである。
【図１２】図１２は、携帯電子機器が画像を表示しているときに筐体を反転させた場合において、第１画面と第２画面との表示を切り替える一例を示す説明図である。
【図１３】図１３は、携帯電子機器が画像を表示しているときに筐体を反転させた場合において、第１画面と第２画面との表示を切り替える一例を示す説明図である。
【図１４】図１４は、携帯電子機器が画像を表示しているときに筐体を反転させた場合において、第１画面と第２画面との表示を切り替える一例を示す説明図である。
【図１５】図１５は、携帯電子機器が画像を表示しているときに筐体を反転させた場合において、第１画面と第２画面との表示を切り替える一例を示す説明図である。
【図１６】図１６は、携帯電子機器が画像を表示しているときに筐体を反転させた場合において、第１画面と第２画面との表示を切り替える一例を示す説明図である。
【図１７】図１７は、携帯電子機器が画像を表示しているときに筐体を反転させた場合において、第１画面と第２画面との表示を切り替える一例を示す説明図である。
【図１８】図１８は、携帯電子機器が画像を表示しているときに筐体を反転させた場合において、第１画面と第２画面との表示を切り替える一例を示す説明図である。
【発明を実施するための形態】
【００１７】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。さらに、下記実施形態で開示した構成要素は適宜組み合わせることが可能である。以下においては、携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ポータブルゲーム機等に対しても本発明は適用できる。
【００１８】
図１は、本実施携帯に係る携帯電子機器の概略構成を示す正面図である。図２は、図１に示す携帯電子機器の背面図であり、図３は、図１に示す携帯電子機器の側面図であり、図４は、図１に示す携帯電子機器の上面図であり、図５は、図１に示す携帯電子機器のＸ−Ｘ矢視図である。
【００１９】
携帯電子機器１は、無線通信機能を備えた携帯電話機である。携帯電子機器１は、筐体２を有し、この筐体２の内部及び表面に各部が配置されている。図１から図４に示すように、筐体２は箱型形状であり、第１筐体２Ａと第２筐体２Ｂとを張り合わせた構造である。第１筐体２Ａ及び第２筐体２Ｂは平面視が矩形の板状の構造体である。第１筐体２Ａと第２筐体２Ｂとは、それぞれの面積が最も広い面同士が向かい合う向きで貼り合わせられる。また、第１筐体２Ａと第２筐体２Ｂとの面積が最も広い面は、同一面積である。
【００２０】
本実施形態において、筐体２、すなわち第１筐体２Ａ及び第２筐体２Ｂは、透明な材料で作製されている。透明な材料とは、光を透過する材料であり、例えば、ポリメタクリル酸メチル樹脂（ＰＭＭＡ、Poly methyl Methacrylate）やポリカーボネートである。本実施形態において、第１筐体２Ａと第２筐体２Ｂとは、接着剤等で接合されており、図５に示す接合面ＭＰも透明となっている。なお、本実施形態では、筐体２を必ずしも透明な材料で作製する必要はなく、不透明な材料で筐体２を作製してもよい。筐体２を透明な材料で作製した場合、美観に優れた外観を有する携帯電子機器１を提供できる。
【００２１】
筐体２の表面は、第１筐体２Ａの表面３と第２筐体２Ｂの表面４とを有する。第２筐体２Ａの表面４は、第１筐体２Ａに対向する面（反対側の面）である。第１筐体２Ａの面積が最も広い面が表面３となり、第２筐体２Ｂの面積が最も広い面が背面４となる。以下においては、必要に応じて第１筐体２Ａの表面３を主面３、第２筐体２Ｂの表面４を背面４という。
【００２２】
図１に示すように、筐体２の主面３（第１筐体２Ａの表面３）には、シート部６が設けられている。シート部６は、主面３の長手方向中央よりも一方の短手方向側にオフセットして配置されている。すなわち、シート部６は、一方の短手方向側にずれて配置されている。筐体２の短手方向において、シート部６は主面３の略全面に配置されている。本実施形態において、シート部６は、不透明な材料で作製されている。シート部６は可撓性を有し、押されることで変形する。
【００２３】
シート部６には、数字キー１２、方向及び決定キー１３、マイク１５、カメラ３６が設けられている。数字キー１２は、シート部６の中央に配置されている。数字キー１２は、電話番号入力時に数字を入力したり、メール作成時等に文字を入力したりするためのキーである。方向及び決定キー１３は、図５に示す第１画面３２ＤＡに表示されるメニューの選択及び決定や画面のスクロール等を容易に実行するためのキーであり、シート部６の数字キー１２よりもシート部６の外縁寄りに配置されている。
【００２４】
レシーバ１６は、携帯電子機器１の通話時に音声を発する。レシーバ１６は、シート部６部の外縁部と一定の距離を隔てて、筐体２の一方の短辺２Ｓ１側に配置されている。マイク１５は、携帯電子機器１の通話時に音声を受け取る部分である。マイク１５は、筐体２の他方の短辺２Ｓ２側、かつ一方の長辺２Ｌ１側に配置されている。カメラ３６は、筐体２の他方の短辺２Ｓ２側、かつ他方の長辺２Ｌ２側におけるシート部６に撮影窓が配置されている。
【００２５】
図５に示すように、筐体２の内部には、操作基板７と、回路基板８と、タッチパネル１４と、アンテナ２６ａと、表示部３２と、バッテリ３４と、が配置されている。操作基板７は、数字キー１２と、方向及び決定キー１３とを有するシート部６に対向して配置された基板である。操作基板７は、数字キー１２や方向及び決定キー１３に入力された操作を検出する検出回路や、当該検出回路が検出した入力を、後述する制御部２２に送信する回路を有している。
【００２６】
回路基板８は、後述する制御部２２や記憶部２４等の機能を有する電子部品、例えばＭＰＵ（Micro Processing Unit）やメモリ等が設置されている基板であり、操作基板７よりも背面４側に配置されている。回路基板８は、例えば、筐体２の厚さ方向に積層された２枚の基板で構成され、背面４側に配置されている基板が主面３側の基板よりも面積が大きい基板である。回路基板８は、主面３と直交する方向から筐体２を見た場合に、シート部６が配置されている領域内に配置されている。また、回路基板８は、方向及び決定キー１３側の一部に、厚みのある回路部材が設けられている。すなわち、回路基板８は、方向及び決定キー１３側の一部が、他の部分、すなわち、マイク１５側の部分よりも厚い形状となっている。
【００２７】
アンテナ２６ａは、筐体２の他方の短辺２Ｓ２側に、筐体２の短手方向に向かって（すなわち、他方の短辺２Ｓ１と平行な方向に向かって）配置されている。また、アンテナ２６ａは、筐体２の厚さ方向において、操作基板７と、背面４側に配置される回路基板８との間に配置されている。また、アンテナ２６ａは、主面３と平行な面上において、シート部６が配置されている領域内に配置されている。バッテリ３４は、操作基板７の背面４側かつ回路基板８の主面３側、すなわち、操作基板７と回路基板８との間に配置されている。バッテリ３４は、回路基板８のうち厚みが薄い領域と対面し、かつ筐体２の長手方向において、アンテナ２６ａよりも主面３側の回路基板８側に配置されている。
【００２８】
表示部３２は、筐体２の回路基板８よりも背面４側に配置されている。図１、図２及び図５に示すように、表示部３２は、筐体２の長手方向、短手方向の両方向において、背面４の大部分の領域に配置された板状の部材である。表示部３２は、所定の画像として、例えば、携帯電子機器１が受信を待機している状態のときに待ち受け画像を表示したり、携帯電子機器１の操作を補助するために用いられるメニュー画像を表示したりする。本実施形態において、表示部３２は、透明な表示装置（例えば、透明液晶パネル）であり、反対側が透けて見える。
【００２９】
表示部３２は、透明な表示装置であるため、表示している画像を主面３側及び背面４側の両方から視認することができる。表示部３２は、主面３側において、シート部６に覆われていない領域が第１画面３２ＤＡとなり、背面４側における全面が第２画面３２ＤＢとなる。以下において、第１画面３２ＤＡと第１画面３２ＤＡとを区別しない場合、適宜画面という。第１画面３２ＤＡに表示された画像は第１筐体２Ａを透過して視認でき、第２画面３２ＤＢに表示された画像は第２筐体２Ｂを透過して視認できる。本実施形態において、シート部６の面積と第１画面３２ＤＡの面積との和は、第２画面３２ＤＢの面積と略等しい。したがって、第２画面３２ＤＢの面積は、第１画面３２ＤＡよりも大きい。このように、携帯電子機器１は、筐体２の所定面（主面３）側で画像を表示可能な第１画面３２ＤＡと、前記所定面の背面側、すなわち背面４側で画像を表示可能で、かつ第１画面３２ＤＡよりも面積が大きい第２画面３２ＤＢとを有する。
【００３０】
本実施形態において、携帯電子機器１のユーザーが主面３側から第１画面３２ＤＡを見た場合には、後述する制御部が第１画面３２ＤＡに画像を表示させる。また、ユーザーが背面４側から第２画面３２ＤＢを見た場合には、前記制御部が第２画面３２ＤＢに画像を表示させる。このように、本実施形態においては、ユーザーが表示部３２を見る方向によって、前記制御部が第１画面３２ＤＡを用いた画像の表示と、第２画面３２ＤＢを用いた画像の表示とを切り替えることにより、携帯電子機器１の表示部３２は、両面で画像を表示することができる。
【００３１】
筐体２は、第１画面３２ＤＡと第２画面３２ＤＢとが重なる領域が透明となる。したがって、第１画面３２ＤＡと第２画面３２ＤＢとが重なる領域は、筐体２の外側から見た場合に透けている状態となる。一方、表示部３２のうち、第２画面３２ＤＢのみとなる領域は、表面３側に回路基板８等が配置されている。このため、表示部３２を透明にすると、背面４側からは、回路基板８が見えることになる。
【００３２】
本実施形態において、携帯電子機器１は、表示部３２に透明な表示装置を用いて両面での画像の表示を実現するが、表示部３２は透明なものに限定されるものではない。例えば、２枚の不透明な液晶パネルで面積の異なるもの、あるいは２枚の有機ＥＬパネルで面積の異なるものを組み合わせて表示部３２としてもよい。このようにしても、表示部３２は、両面で画像を表示することができる。
【００３３】
タッチパネル１４は、表示部３２の背面４側に配置されている。タッチパネル１４は、背面４側から入力されるユーザーの操作を検出する操作検出部であり、タッチパネル１４のいずれの部分がユーザーに指定されているかを検出する。タッチパネル１４は、表示部３２と対向している領域が透明である。次に、携帯電子機器１の機能と制御部との関係を説明する。
【００３４】
図６は、図１に示す携帯電子機器の機能の概略構成を示すブロック図である。図６に示すように携帯電子機器１は、制御部２２と、記憶部２４と、通信部２６と、操作部２８と、音声処理部３０と、表示部３２と、表示制御部３３と、反転検出部３５と、カメラ３６と、を有する。制御部２２は、携帯電子機器１の全体的な動作を統括的に制御する処理部、例えばＭＰＵ（Micro Processing Unit）である。
【００３５】
制御部２２は、携帯電子機器１の各種の処理が、操作部２８の操作や携帯電子機器１の記憶部２４に記憶されているソフトウェアに応じて適切な手順で実行されるように、表示部３２、通信部２６等の動作を制御する。制御部２２は、記憶部２４に保存されているプログラム（例えば、オペレーティングシステムプログラム、アプリケーションプログラム等）に基づいて処理を実行する。
【００３６】
記憶部２４には、制御部２２での処理に利用されるソフトウェアやデータが保存されている。例えば、記憶部２４には、表示部３２の表示を制御するプログラムや、メールの送受信を実行するためのプログラムが保存されている。さらに、記憶部２４には、プログラム以外の各種データも記憶されている。例えば、記憶部２４には、各種設定条件や、アドレス帳や、文字変換に用いる辞書データや、カメラ（読取部）３６で撮影した画像データ等が記憶されている。
【００３７】
通信部２６は、アンテナ２６ａを介して、基地局によって割り当てられるチャネルを介し、基地局との間でＣＤＭＡ方式などによる無線信号回線を確立し、基地局との間で電話通信及び情報通信を行う。操作部２８は、例えば、電源キー、通話キー、数字キー、文字キー、方向キー、決定キー、発信キー等、各種の機能が割り当てられた数字キー１２と、方向及び決定キー１３と、タッチパネル１４とで構成される。操作部２８は、これらのキー又はタッチパネル１４にユーザーの操作が入力されると、その操作内容を制御部２２へ入力する。
【００３８】
本実施形態において、物理キーとは、タッチパネル１４を除いた入力手段であり、具体的には、数字キー１２、方向及び決定キー１３である。これらは、押下することで操作を入力する装置である。この他にも、物理キーには、トラックボール、タッチパッド、光式ポインティングデバイス、方向キー等が含まれる。本実施形態において、携帯電子機器１は、物理キーとして、方向及び決定キー１３と、トラックボールと、タッチパッドと、光式ポインティングデバイスとのうち少なくとも一つを主面３に有することができる。なお、背面４には、本実施形態のように、タッチパネル１４を設けることが好ましい。これにより、背面４の第２画面３２ＤＢに画像を表示させている場合でも操作を入力することができ、携帯電子機器１の操作性を高くすることができる。
【００３９】
音声処理部３０は、マイク１５に入力される音声信号やレシーバ１６から出力される音声信号を処理する。表示部３２は、制御部２２から表示制御部３３を介して供給される映像データに応じた映像や画像データに応じた画像等を表示する。すなわち、制御部２２は、表示制御部３３を介して表示部３２に画像や映像を表示させる。バッテリ３４は、制御部２２や表示部３２等、携帯電子機器１の各部に電力を供給する電源である。カメラ３６は、主面３と対向している撮影領域（一定角度の視野角に含まれる領域）の画像を取得する撮像装置である。カメラ３６は、撮影した画像の情報を制御部２２に送信する。
【００４０】
反転検出部３５は、図１から図５に示す携帯電子機器１の筐体２の反転を検出する。すなわち、筐体２の主面３と背面４との位置関係が入れ替わったことを検出する。これによって、第１画面３２ＤＡと第２画面３２ＤＢとの位置関係が入れ替わったことが検出される。図５に示す例では、ユーザーの目Ｅｙが第１画面３２ＤＡを見ているが、筐体２が反転すると、ユーザーの目Ｅｙは第２画面３２ＤＢを見ることになる。反転検出部３５は、筐体２の反転を検出することにより、ユーザーが第１画面３２ＤＡと第２画面３２ＤＢとのいずれを見ているかを判定する情報を生成する。
【００４１】
反転検出部３５は、例えば、加速度センサを用いることができる。加速度センサは、筐体２の姿勢を検出することができるので、第１画面３２ＤＡの表示面及び第２画面３２ＤＢの表示面が向いている方向を検出できる。また、加速度センサは、筐体２に作用する加速度を検出できるので、筐体２の動きも検出することができる。
【００４２】
反転検出部３５は、タッチパネル１４であってもよい。携帯電子機器１の筐体２をユーザーが持って第１画面３２ＤＡを見る場合、ユーザーの手はタッチパネル１４に接触する。また、携帯電子機器１の筐体２をユーザーが持って第２画面３２ＤＢを見る場合、ユーザーがタッチパネル１４を操作する場合以外は、ユーザーの手はほとんどタッチパネルに触れない。このように、ユーザーが第１画面３２ＤＡを見る場合と第２画面３２ＤＢを見る場合とでは、タッチパネル１４に触れるユーザーの手の面積が異なる。したがって、この面積の相違を利用して、第１画面３２ＤＡと第２画面３２ＤＢとのいずれをユーザーが見ているのかを検出することができる。また、タッチパネル１４が検出しているユーザーの手の面積が変化することを利用して、筐体２が反転したか否かを判定できる。
【００４３】
制御部２２は、反転検出部３５の検出結果に応じて、第１画面３２ＤＡを用いた画像の表示と、第２画面３２ＤＢを用いた画像の表示とを切り替える。例えば、ユーザーが第１画面３２ＤＡを見ている場合、制御部２２は第１画面３２ＤＡに画像を表示させる制御を実行する。その最中に反転検出部３５が筐体２の反転を検出したら、制御部２２は反転検出部３５の検出結果、すなわち筐体２が反転したという検出結果を得て、第１画面３２ＤＡを用いた画像表示を、第２画面３２ＤＢを用いた画像の表示に切り替える。また、第２画面３２ＤＢを用いた画像の表示中に反転検出部３５が筐体２の反転を検出した場合、制御部２２は、第２画面３２ＤＢを用いた画像表示を、第１画面３２ＤＡを用いた画像の表示に切り替える。
【００４４】
これによって、第２画面３２ＤＢを用いた画像の表示により、大画面表示を実現できる。また、第２画面３２ＤＢを用いた画像の表示中に筐体２が反転されると、物理キーとともに第１画面３２ＤＡが現れるので、第１画面３２ＤＡ及び物理キーを用いて文字や数字、あるいは記号等を入力することができる。これによって、文字等の入力時にはタッチパネル１４と比較して操作性に優れる物理キーを用いることができるので、入力の操作性が向上する。このように、携帯電子機器１は、大画面表示を実現しつつ操作性を改善することができる。
【００４５】
また、制御部２２は、画面によって表示させる画像を判定（選択）させることにより、その画面に対して適切な画像を表示させることもできる。すなわち、制御部２２は、第１画面３２ＤＡには、物理キーによる入力に適切な画像、例えば、テキストボックスやメールの画像を表示させて、物理キーの入力を第１画面３２ＤＡに表示させながら確認する。これによって、携帯電子機器１の入力時における操作性を向上させる。また、制御部２２は、第２画面３２ＤＢには、動画や電子書籍等の画像を表示させて、多くの情報を大きな画面で表示させる。このように、本実施形態では、使用されている画面に適切な画像を表示させることもできる。
【００４６】
携帯電子機器１は、主面３に、数字キー１２と、方向及び決定キー１３と、第１画面３２ＤＡとを備え、背面４に、タッチパネル１４と、表示面積が第１画面３２ＤＡよりも大きい第２画面３２ＤＢとを備える。これにより、携帯電子機器１の使用用途に応じて、主面３と背面４とを使い分けることができる。例えば、メール等の数字、文字の入力が多くなる操作は主面３を用い、画面の拡大や選択が主な操作となるもの、例えば、動画や画像の観賞をする際の操作は背面４を用いるようにすることができる。これにより、携帯電子機器１の操作性を高くすることができる。
【００４７】
（画面切替例１）
図７は、本実施形態に係る携帯電子機器を用いて、画像を表示する画面を切り替える第１の手法を示すフローチャートである。第１の手法では、反転検出部３５に加速度センサを用いる。以下において、図５に示す携帯電子機器１の第１画面３２ＤＡの表示面が重力の作用方向（鉛直方向、図５の矢印Ｇで示す方向）とは反対方向を向いている場合に、携帯電子機器１の筐体２は上向きであるとする。また、第１画面３２ＤＡの表示面が鉛直向を向いている場合に、携帯電子機器１の筐体２は下向きであるとする。これらの場合、第１画面３２ＤＡの表示面が鉛直方向に対して傾斜していてもよい。
【００４８】
画面切替例１を実行するにあたって、ステップＳ１０１において、図６に示す携帯電子機器１の制御部２２は、反転検出部３５の検出結果から、携帯電子機器１の筐体２が上向きであるか否かを判定する。例えば、図５に示すように、筐体２の主面３及び背面４が鉛直方向と直交するように携帯電子機器１が配置されている場合に、筐体２が上向きであるとする。この状態から筐体２が反転すると、筐体２の主面３と背面４との位置関係が反転するので、携帯電子機器１に搭載される加速度センサの出力も反転（例えば、符号が反転）する。筐体２が上向きの状態における加速度センサの出力が反転するまでは筐体２が上向きであり、加速度センサの出力が反転したら、筐体２が上向きの状態から反転して下向きになったと判断できる。反転検出部３５（加速度センサ）の検出結果から、筐体２が上向きであると制御部２２が判定した場合（ステップＳ１０１、Ｙｅｓ）、ステップＳ１０２へ進む。ステップＳ１０２において、制御部２２は、第１画面３２ＤＡに画像を表示させるとともに、物理キー（数字キー１２や方向及び決定キー１３）を使用可能な状態、すなわち、物理キーによる入力を受け付ける状態とする。
【００４９】
第１画面３２ＤＡは、物理キーと同じ主面３に配置されている。携帯電子機器１のユーザーは、物理キーを使用する場合に筐体２を上向きとして自分の方に物理キーを向けることが多い。このため、筐体２が上向き、すなわち、第１画面３２ＤＡが上向きである場合に物理キーが使用可能な状態とされることで、携帯電子機器１は、物理キーの使用開始に対して遅滞なく物理キーによる入力を受け付けることができる。その結果、携帯電子機器１の使い勝手が向上する。なお、ステップＳ１０２において、制御部２２は、少なくとも第１画面３２ＤＡに画像を表示させればよく、必ずしも物理キーを使用可能な状態とする必要はない（以下同様）。
【００５０】
ステップＳ１０１において、筐体２が上向きでない、すなわち下向きであると制御部２２が判定した場合（ステップＳ１０１、Ｎｏ）、ステップＳ１０３へ進む。ステップＳ１０３において、制御部２２は、第２画面３２ＤＢに画像を表示させるとともに、タッチパネル１４を使用可能な状態、すなわち、タッチパネル１４による入力を受け付ける状態とする。筐体２が下向き、すなわち、第２画面３２ＤＢが上向きである場合にタッチパネル１４が使用可能な状態とされることで、携帯電子機器１は、タッチパネル１４の使用開始に対して遅滞なく物理キーによる入力を受け付けることができる。その結果、携帯電子機器１の使い勝手が向上する。なお、ステップＳ１０３において、制御部２２は、少なくとも第２画面３２ＤＢに画像を表示させればよく、必ずしもタッチパネル１４を使用可能な状態とする必要はない（以下同様）。
【００５１】
ステップＳ１０２又はステップＳ１０３が終了したら、ステップＳ１０４へ進む。ステップＳ１０４において、制御部２２は、反転検出部３５の検出結果から、携帯電子機器１の筐体２が反転したか否かを判定する。例えば、反転検出部３５が筐体２の回転運動を検出した場合や、筐体２の主面３と背面４との上下関係が入れ替わったことを検出した場合に、制御部２２は筐体２が反転したと判定する。
【００５２】
筐体２が反転したと制御部２２が判定した場合（ステップＳ１０４、Ｙｅｓ）、ステップＳ１０５へ進み、制御部２２は、表示を切り替えるとともに、入力を切り替える。すなわち、制御部２２は、携帯電子機器１が有する二つの画面のうち、反転前において画像の表示に用いていない方を、反転後における画像の表示に用いる。そして、制御部２２は、物理キーとタッチパネル１４とのうち反転前において入力を受け付ける状態としていない方を、反転後において入力を受け付ける状態とする。これによって、反転後において携帯電子機器１のユーザーに向いている画面に画像を表示させ、ユーザーに向いている操作部の入力を受け付けることができる。
【００５３】
筐体２が反転していないと制御部２２が判定した場合（ステップＳ１０４、Ｎｏ）、ステップＳ１０６へ進み、制御部２２は、現状を維持する。すなわち、制御部２２は、携帯電子機器１が有する二つの画面のうち、ステップＳ１０４の判定時において画像の表示に用いている画面での画像表示を継続する。そして、制御部２２は、物理キーとタッチパネル１４とのうち、ステップＳ１０４の判定時において入力を受け付ける状態となっている方を、そのままの状態に維持する。このような手順によって、筐体２の反転によって画像の表示に用いる画面を切り替えることができる。
【００５４】
（画面切替例２）
図８は、本実施形態に係る携帯電子機器において、画像を表示する画面を切り替える第２の手法を示すフローチャートである。図９、図１０は、本実施形態に係る携帯電子機器が備えるタッチパネルに手が触れている状態を示す模式図である。第２の手法は、反転検出部３５にタッチパネル１４を用いる。画面切替例２を実行するにあたって、図６に示す携帯電子機器１の制御部２２は、反転検出部３５であるタッチパネル１４の検出結果から、ユーザーの手を検知したか否かを判定する（ステップＳ２０１）。
【００５５】
制御部２２が手を検出しないと判定した場合（ステップＳ２０１、Ｎｏ）、ステップＳ２０２へ進み、制御部２２は、携帯電子機器１を待機状態とする。待機状態とは、携帯電子機器１が、受信を待ち受けている状態である。待機状態において、制御部２２は、必要に応じて、待ち受け画像を第１画面３２ＤＡあるいは第２画面３２ＤＢに表示させる。制御部２２が手を検出しないと判定した場合（ステップＳ２０１、Ｙｅｓ）、ステップＳ２０２へ進み、制御部２２は、タッチパネル１４に触れている手の面積（接触面積）Ｓを求め、予め定めた接触面積閾値Ｓｃと比較する。
【００５６】
ユーザーが携帯電子機器１の筐体２を手で持って、図５に示す第１画面３２ＤＡを見ている場合、図９に示すように、ユーザーの指Ｈ２、Ｈ３、Ｈ４、Ｈ５が、携帯電子機器１の第２画面３２ＤＢ側に配置されるタッチパネル１４に触れる。このときの第１接触面積ＳＡは、指Ｈ２、Ｈ３、Ｈ４、Ｈ５とタッチパネル１４とが接触する面積Ｓ２、Ｓ３、Ｓ４、Ｓ５の和（ＳＡ＝Ｓ２、Ｓ３、Ｓ４、Ｓ５）となる。一方、図１０に示すように、ユーザーが携帯電子機器１の筐体２を手で持って第２画面３２ＤＢを見ている場合、ユーザーの指Ｈ１が、携帯電子機器１の第２画面３２ＤＢ側に配置されるタッチパネル１４に触れる。このときの第２接触面積ＳＢは、指Ｈ１とタッチパネル１４とが接触する面積となる。
【００５７】
上述したように、ユーザーが携帯電子機器１の第１画面３２ＤＡを見ている場合と第２画面３２ＤＢを見ている場合とで、接触面積Ｓは異なる。具体的には、接触面積Ｓは、ユーザーが携帯電子機器１の第１画面３２ＤＡを見ている場合の方が大きくなる（ＳＡ＞ＳＢ）。これを利用して、制御部２２は、接触面積Ｓの大きさに基づいてユーザーが第１画面３２ＤＡと第２画面３２ＤＢとのどちらを見ているかを判定する。例えば、接触面積閾値ＳｃをＳＢよりも大きくＳＡよりも小さい値に設定し、制御部２２は、反転検出部３５であるタッチパネル１４の検出した接触面積Ｓと接触面積閾値Ｓｃとを比較する。そして、制御部２２は、Ｓ＞Ｓｃであるときにユーザーは第１画面３２ＤＡを見ていると判定し、Ｓ≦Ｓｃであるときにユーザーは第２画面３２ＤＢを見ていると判定する。
【００５８】
タッチパネル１４を反転検出部３５として用いる場合、筐体２が上向であるか否かに関わらず、ユーザーが見ている画面を判定できる。これによって、例えば、ユーザーが寝ている状態で携帯電子機器１を使用している場合や無重力空間で携帯電子機器１を使用している場合であっても、ユーザーが見ている画面を判定できる。
【００５９】
ステップＳ２０３において、制御部２２がＳ＞Ｓｃであると判定した場合（ステップＳ２０３、Ｙｅｓ）、ユーザーは第１画面３２ＤＡを見ていると判断できる。この場合、ステップＳ２０４へ進み、制御部２２は、第１画面３２ＤＡに画像を表示させるとともに、物理キーを使用可能な状態とする。制御部２２がＳ≦Ｓｃであると判定した場合（ステップＳ２０３、Ｎｏ）、ユーザーは第２画面３２ＤＢを見ていると判断できる。この場合、ステップＳ２０５へ進み、制御部２２は、第２画面３２ＤＢに画像を表示させるとともに、タッチパネル１４を使用可能な状態とする。
【００６０】
ステップＳ２０４又はステップＳ２０５が終了したら、ステップＳ２０６へ進む。ステップＳ２０６において、制御部２２は、反転検出部３５であるタッチパネル１４の検出結果から、携帯電子機器１の筐体２が反転したか否かを判定する。例えば、タッチパネル１４の検出結果がＳ＞ＳｃからＳ≦Ｓｃに変化した場合や、Ｓ≦ＳｃからＳ＞Ｓｃに変化した場合に、制御部２２は筐体２が反転したと判定する。
【００６１】
筐体２が反転したと制御部２２が判定した場合（ステップＳ２０６、Ｙｅｓ）、ステップＳ２０７へ進み、制御部２２は、表示を切り替えるとともに、入力を切り替える。筐体２が反転していないと制御部２２が判定した場合（ステップＳ２０６、Ｎｏ）、ステップＳ２０７へ進み、制御部２２は、現状を維持する。このような手順によって、筐体２の反転によって画像の表示に用いる画面を切り替えることができる。
【００６２】
（画面切替例３）
図１１は、本実施形態に係る携帯電子機器を用いて、画像を表示する画面を切り替える第３の手法を示すフローチャートである。第３の手法では、反転検出部３５に加速度センサ及びタッチパネル１４を用いる。画面切替例３を実行するにあたって、ステップＳ３０１において、図６に示す携帯電子機器１の制御部２２は、加速度センサの検出結果から、携帯電子機器１の筐体２が上向きであるか否かを判定する。筐体２が上向きであると制御部２２が判定した場合（ステップＳ３０３、Ｙｅｓ）、ステップＳ３０２へ進む。
【００６３】
ステップＳ３０２において、制御部２２は、タッチパネル１４の検出結果から、ユーザーの手を検知したか否かを判定する。制御部２２が手を検出したと判定した場合（ステップＳ３０２、Ｙｅｓ）、ステップＳ３０３へ進み、制御部２２は、タッチパネル１４に触れている手の面積（接触面積）Ｓを求め、予め定めた接触面積閾値Ｓｃと比較する。この手法は、画面切替例２と同様である。
【００６４】
制御部２２がＳ＞Ｓｃであると判定した場合（ステップＳ３０３、Ｙｅｓ）、ユーザーは第１画面３２ＤＡを見ていると判断できる。この場合、ステップＳ３０４へ進み、制御部２２は、第１画面３２ＤＡに画像を表示させるとともに、物理キーを使用可能な状態とする。制御部２２がＳ≦Ｓｃであると判定した場合（ステップＳ３０３、Ｎｏ）、ユーザーは第２画面３２ＤＢを見ていると判断できる。この場合、ステップＳ３０７へ進み、制御部２２は、第２画面３２ＤＢに画像を表示させるとともに、タッチパネル１４を使用可能な状態とする。
【００６５】
ステップＳ３０２へ戻り、制御部２２が手を検出しない判定した場合（ステップＳ３０３、Ｎｏ）、携帯電子機器１にユーザーが触れていない状態で、かつ筐体２が上向きであり、第１画面３２ＤＡが上を向いていると判断できる。この場合、ステップＳ３０４へ進み、制御部２２は、第１画面３２ＤＡに画像を表示させるとともに、物理キーを使用可能な状態とする。
【００６６】
次に、ステップＳ３０１へ戻り、筐体２が上向きでない、すなわち下向きであると制御部２２が判定した場合（ステップＳ３０１、Ｎｏ）、ステップＳ３０５へ進む。ステップＳ３０５において、制御部２２は、タッチパネル１４の検出結果から、ユーザーの手を検知したか否かを判定する。制御部２２が手を検出したと判定した場合（ステップＳ３０５、Ｙｅｓ）、ステップＳ３０６へ進み、制御部２２は、タッチパネル１４に触れている手の面積（接触面積）Ｓを求め、予め定めた接触面積閾値Ｓｃと比較する。この手法は、画面切替例２と同様である。
【００６７】
制御部２２がＳ＞Ｓｃであると判定した場合（ステップＳ３０６、Ｙｅｓ）、筐体２が下向き、すなわち、第１画面３２ＤＡが重力の作用方向側を向いている状態で、ユーザーは第１画面３２ＤＡを見ていると判断できる。例えば、ユーザーが寝転んで携帯電子機器１を使用している場合である。この場合、ステップＳ３０４へ進み、制御部２２は、第１画面３２ＤＡに画像を表示させるとともに、物理キーを使用可能な状態とする。制御部２２がＳ≦Ｓｃであると判定した場合（ステップＳ３０６、Ｎｏ）、第１画面３２ＤＡが重力の作用方向側を向いている状態で、ユーザーは第２画面３２ＤＢを見ていると判断できる。この場合、ステップＳ３０７へ進み、制御部２２は、第２画面３２ＤＢに画像を表示させるとともに、タッチパネル１４を使用可能な状態とする。
【００６８】
ステップＳ３０５に戻り、制御部２２が手を検出しないと判定した場合（ステップＳ３０５、Ｎｏ）、携帯電子機器１にユーザーが触れていない状態で、かつ筐体２が下向きであり、第２画面３２ＤＢが上を向いていると判断できる。この場合、ステップＳ３０４へ進み、制御部２２は、第１画面３２ＤＡに画像を表示させるとともに、物理キーを使用可能な状態とする。ステップＳ３０４又はステップＳ３０７が終了したら、ステップＳ３０８へ進む。ステップＳ３０８〜ステップＳ３１０は、上述したステップＳ１０４〜ステップＳ１０６及びステップＳ２０６〜ステップＳ２０８と同様である。
【００６９】
加速度センサのみでは、携帯電子機器１の筐体２が下向き、すなわち第１画面３２ＤＡが重力の作用方向を向いている状態でユーザーが第１画面３２ＤＡを見ている場合（例えば、ユーザーが寝転んで携帯電子機器１を使用している場合等）を区別することができない。また、タッチパネル１４のみでは、ユーザーがタッチパネル１４に触れている状態でないとユーザーが見ている画面を区別できない。例えば、携帯電子機器１を机の上に置いて使用したり、筐体２の側周部を持って使用したりするような場合は、ユーザーが見ている画面を区別できない。第３の手法では、加速度センサとタッチパネル１４とを反転検出部３５として使用するので、筐体２が上向きである場合と下向きである場合とのそれぞれの場合に、ユーザーが見ている画面を区別できる。すなわち、携帯電子機器１の筐体２の姿勢に関わらずユーザーが見ている画面を区別できる。その結果、ユーザーが見ている画面を区別する精度が向上するので、携帯電子機器１の使い勝手がさらに向上する。
【００７０】
図１２から図１５は、携帯電子機器が画像を表示しているときに筐体を反転させた場合において、第１画面と第２画面との表示を切り替える一例を示す説明図である。図１２は、携帯電子機器１の第２画面３２ＤＢにＷｅｂ閲覧画像を表示させた例を示している。図１３は、携帯電子機器１の第１画面３２ＤＡに、検索用入力画像４１を表示させた例を示している。検索用入力画像４１は、テキストボックス（文字情報や数字情報の入力領域）４０を有する画像であり、テキストボックス４０は、物理キー（数字キー１２や方向及び決定キー１３）による入力が必要な画像である。
【００７１】
このように、第２画面３２ＤＢには、大画面表示が好ましい画像、例えば、Ｗｅｂ閲覧画像や地図（ＭＡＰ）画像、あるいは図１や図６に示すカメラ３６で撮像した画像等を表示させることが好ましい。このような画像は、一般に情報量が多いため、できる限り大きい画面に表示させる方が見やすくなるためである。したがって、制御部２２は、第２画面３２ＤＢに、Ｗｅｂ閲覧画像と地図（ＭＡＰ）画像と図１や図６に示すカメラ３６で撮像した画像との少なくとも一つを表示させることが好ましい。
【００７２】
一方、携帯電子機器１は、第１画面３２ＤＡと物理キーとが筐体２の同じ面に配置されているため、第１画面３２ＤＡに画像を表示させる場合は、物理キーの使用と関連付けられた画像を表示させる方が、物理キーの使い勝手が向上するため好ましい。物理キーの使用と関連付けられた画像は、例えば、上述したテキストボックス４０やこれを含む画像（検索用入力画像４１）のように、物理キーによる入力が必要な画像である。このように、図６に示す制御部２２は、第２画面３２ＤＢに大画面表示が好ましい画像を表示させ、第１画面３２ＤＡに物理キーの使用と関連付けられた画像を表示させることが好ましい。これによって、携帯電子機器１の使い勝手をより向上させることができるので、携帯電子機器１の使用において、ユーザーが感じるストレスを低減できる。
【００７３】
図１２は、携帯電子機器１の第２画面３２ＤＢに検索用入力に用いるテキストボックス４０を含むＷｅｂ閲覧画像を表示した状態を示している。この状態で筐体２を反転させ、図６に示す反転検出部３５が筐体２の反転を検出すると、制御部２２は反転検出部３５の検出結果に基づき、図１３に示すように、第１画面３２ＤＡには検索用入力に用いるテキストボックス４０を含む検索用入力画像４１を表示させる。このとき、図６に示す制御部２２は、物理キーを使用可能な状態とする。また、制御部２２は、テキストボックス４０を含む領域を拡大表示させることが好ましい。これによって、テキストボックス４０へ入力される文字や数字がより見やすくなるので、テキストボックス４０への入力が容易になる。具体的には、ＨＴＭＬ言語で記載されたＷｅｂページを第２画面３２ＤＢに表示しているときに、反転検出部３５が筐体２の反転を検出すると、制御部２２は、表示中のＷｅｂページに検索ワード入力用のテキストボックス４０を示すＨＴＭＬタグが含まれているか否かを判定する。テキストボックス４０を示すＨＴＭＬタグが含まれていると制御部２２が判断した場合、制御部２２は、テキストボックス４０を中心とする画面を第１画面３２ＤＡに表示させることとなる。
【００７４】
テキストボックス４０へ検索したい文字を入力して検索すると、図１４に示すように、その結果が第１画面３２ＤＡに表示される。第１画面３２ＤＡは、第２画面３２ＤＢよりも面積が小さいため、多くの情報を含む検索結果画像を表示させるためには、第２画面３２ＤＢの方がより好ましい。この場合、携帯電子機器１の筐体２を反転させると、図６に示す反転検出部３５が前記反転を検出する。制御部２２は、反転検出部３５の検出結果に基づいて、図１５に示すように、これまで第１画面３２ＤＡに表示させていた検索結果画像を第２画面３２ＤＢに表示させる。これによって、より面積の大きい第２画面３０ＤＢに検索結果画像が表示されるので、ユーザーはより多くの情報を一つの画面で確認することができ、スクロール等の使用を抑制できる。その結果、携帯電子機器１は、ユーザーに与えるストレスをより低減できる。なお、次のように検索結果画像を第２画面３２ＤＢに表示させてもよい。まず、第１画面３２ＤＡに、検索用入力に用いるテキストボックス４０を含む検索用入力画像４１を表示させている状態で、ユーザーは検索に用いるキーワードが物理キーによってテキストボックス４０に入力する。テキストボックス４０に前記キーワードが入力されてから筐体２がユーザーによって反転されると、制御部２２は検索を開始し、検索終了後に検索結果を第２画面３２ＤＢに表示する。すなわち、制御部２２は、筐体２の反転をトリガーとして検索を開始するとともに、検索終了後には検索結果を第２画面３２ＤＢに表示させる。このようにすれば、検索ボタン（物理キーに設定されたキーや第２画面３２ＤＢに表示される入力検知領域等）を押下することなく検索が開始され、検索結果が第２画面３２ＤＢに表示されるので、携帯電子機器１の使い勝手がさらに向上する。
【００７５】
また、本実施形態では、携帯電子機器１は、図５に示すように、第２画面３２ＤＢ側にタッチパネル１４を有するが、タッチパネル１４は物理キーと比較して反応が鈍い等の理由から、一般にテキストボックス４０への入力はし難い。このような場合、物理キーによって入力したいと考えるユーザーが、物理キーを使用するために筐体２を反転させると、第２画面３２ＤＢに表示されている画像のうちテキストボックス４０が第１画面３２ＤＡに表示される。このように、物理キーの使用に連動して、物理キーによる入力が必要な画像が第１画面３２ＤＡに表示されるので、携帯電子機器１の使い勝手が向上する。また、物理キーによる入力が必要な画像（本実施形態ではテキストボックス４０）を含む領域が拡大されて表示されるので、文字等はさらに入力しやすくなる。さらに、ユーザーが第１画面３２ＤＡに表示し切れない情報を見たいと思った場合、ユーザーは筐体２を反転させ、より大きい第２画面３２ＤＢを自分に向けることのみで、表示し切れない情報を第２画面３２ＤＢで確認できる。このように、携帯電子機器１は、簡単かつユーザーの直感に訴えた操作で画面の表示を切り替えることができるので、ユーザーに対して操作しやすいものとなる。
【００７６】
図１６から図１８は、携帯電子機器が画像を表示しているときに筐体を反転させた場合において、第１画面と第２画面との表示を切り替える一例を示す説明図である。図１６は、図６に示す制御部２２が、携帯電子機器１の第２画面３２ＤＢに地図画像を表示させている状態を示している。この状態で筐体２を反転させると、制御部２２は、携帯電子機器１の第１画面３２ＤＡには、所定のアプリケーションを起動させるためのメニュー画像４５が表示させる。この例において、メニュー画像４５は、メール添付メニュー４２、コレクションメニュー４３、壁紙設定メニュー４４を含む。それぞれのメニューが選択されると、制御部２２は、選択されたメニューに対応したアプリケーションを起動させる。例えば、コレクションメニュー４３が選択されると、制御部２２は、コレクションソフトを起動させ、現在第２画面３２ＤＢに表示されている画像のＵＲＬを図６に示す記憶部２４の所定領域に記憶させる。また、壁紙設定メニュー４４が選択されると、制御部２２は、壁紙選択ソフトを起動させ、現在第２画面３２ＤＢに表示されている画像を記憶部２４にダウンロードするとともに、当該画像を第１画面３２ＤＡ又は第２画面３２ＤＢの壁紙として設定する。
【００７７】
ユーザーは、物理キーとしての方向及び決定キー１３を用いて実行したいメニューを選択する。制御部２２は、選択されたメニューに対応したアプリケーションを起動する。例えば、メール添付メニュー４２が選択された場合、制御部２２は、メール添付ソフトを起動させ、図１８に示すように、第１画面３２ＤＡにメール送信用画像４６を表示させるとともに、現在第２画面３２ＤＢに表示されている画像のＵＲＬをメールに添付する。ユーザーは、物理キーとしての数字キー１２を用いてメールの宛先や件名をメールに入力して送信する。このように、第２画面３２ＤＢを用いた表示中に反転検出部３５が筐体２の反転を検出すると、制御部２２は、所定のアプリケーションを起動させるためのメニュー画像４５を第１画面３２ＤＡに表示させるので、携帯電子機器１の使い勝手を向上させることができる。
【００７８】
メニュー画像４５に表示させるメニューは、ユーザーが自由に設定できるようにしてもよい。これによって、ユーザーの使用態様に応じて表示されるメニューを変更できるので、ユーザーの使い勝手が向上する。また、第２画面３２ＤＢを用いた表示中に筐体２が反転された場合、制御部２２は、所定のソフトウェアを起動するようにしてもよい。例えば、第２画面を用いた表示中に筐体２が反転された場合、制御部２２は、メール添付用のソフトウェアを起動させ、第２画面３２ＤＢに表示されている画像のＵＲＬや画像データをメールに添付するようにしてもよい。これによって、メール添付用のソフトウェアを起動させる手間を省くことができるので、携帯電子機器１の使い勝手がさらに向上する。このように、第２画面３２ＤＢを用いた表示中における筐体２の反転と、所定のソフトウェアの起動とを関連付けてもよい。これによって、筐体２の反転をトリガーとして、第２画面３２ＤＢに画像を表示させている際にユーザーがよく使用するソフトウェアを起動させることができるので、ソフトウェアを起動する手間が軽減されて、携帯電子機器１の使い勝手がさらに向上する。
【産業上の利用可能性】
【００７９】
以上のように、本発明に係る携帯電子機器は、大画面表示を実現する際に入力の操作性を向上させることに有用である。
【符号の説明】
【００８０】
１  携帯電子機器
２  筐体
２Ａ  第１筐体
２Ｂ  第２筐体
３  主面（表面）
４  背面（表面）
６  シート部
７  操作基板
８  回路基板
１２  数字キー
１３  方向及び決定キー
１４  タッチパネル
２２  制御部
２４  記憶部
２６  通信部
２８  操作部
３０  音声処理部
３２  表示部
３２ＤＡ  第１画面
３２ＤＢ  第２画面
３３  表示制御部
３５  反転検出部
４０  テキストボックス
４１  検索用入力画像
４２  メール添付メニュー
４３  コレクションメニュー
４４  壁紙設定メニュー
４５  メニュー画像
４６  メール送信用画像
【図１】
2011166630.tif 000003
【図２】
2011166630.tif 000004
【図３】
2011166630.tif 000005
【図４】
2011166630.tif 000006
【図５】
2011166630.tif 000007
【図６】
2011166630.tif 000008
【図７】
2011166630.tif 000009
【図８】
2011166630.tif 000010
【図９】
2011166630.tif 000011
【図１０】
2011166630.tif 000012
【図１１】
2011166630.tif 000013
【図１２】
2011166630.tif 000014
【図１３】
2011166630.tif 000015
【図１４】
2011166630.tif 000016
【図１５】
2011166630.tif 000017
【図１６】
2011166630.tif 000018
【図１７】
2011166630.tif 000019
【図１８】
2011166630.tif 000020